(57)【要約】【課題】熟練度を要する入力動作を必要とせずに、タッチパネルの検出座標とこの検出座標に対応する表示パネルの表示座標とを精度良く取得してタッチパネルの補正情報を得る座標位置補正装置および座標位置補正方法を提供する。【解決手段】導光ケーブル５５の一端５５Ａをタッチパネル１２の所定位置に押し当てたときのタッチパネル１２の検出座標を取得すると共に、表示パネル１１にスポット画像を走査させ、タッチパネル１２の所定位置を通過するスポット画像の光を導光ケーブル５５を介して検出したときの表示パネル１１におけるスポット画像の表示座標を取得する。【選択図】図１
2010286901.tif 000002
【特許請求の範囲】
【請求項１】
表示パネルの前面側に固定したタッチパネルを押圧して検出された検出座標と、表示パネルの表示座標とを取得して互いの座標の相関をとり、補正値を算出するタッチパネルの座標位置補正装置において、
導光ケーブルの一端を前記タッチパネルの所定位置に押し当てたときの前記タッチパネルの検出座標を取得するタッチパネル座標取得部と、
前記導光ケーブルの一端を前記タッチパネルに押し当てた状態のときに前記表示パネルにスポット画像を走査させ、前記タッチパネルの前記所定位置を通過する前記スポット画像の光を前記導光ケーブルを介して検出したときの前記表示パネルにおける前記スポット画像の表示座標を取得する表示パネル座標取得部とを備えることを特徴とする座標位置補正装置。
【請求項２】
前記導光ケーブルの一端を前記タッチパネルに押し当てた状態に保持した後に、前記タッチパネルの検出座標を取得すると共に、前記表示パネルの表示領域全体に前記スポット画像を走査させて前記表示パネルの表示座標を取得することを特徴とする請求項１に記載の座標位置補正装置。
【請求項３】
前記導光ケーブルの一端を前記タッチパネルの対角二点の各々に押し当てたときの前記タッチパネルの検出座標と、前記表示パネルにおける前記スポット画像の表示座標とを取得して、対角二点の前記検出座標と前記表示座標とに基づいてタッチパネル座標と表示パネル座標との相関を示す補正情報を取得し、この補正情報に基づいて、前記タッチパネルの検出座標を前記表示パネルの表示座標に対応する座標に修正するずれ修正部を有することを特徴とする請求項１又は２に記載の座標位置補正装置。
【請求項４】
表示パネルの前面側に固定したタッチパネルを押圧して検出された検出座標と、表示パネルの表示座標とを取得して互いの座標の相関をとり、補正値を算出するタッチパネルの座標位置補正方法において、
前記導光ケーブルの一端を前記タッチパネルの所定位置に押し当てた状態に保持した後に、前記タッチパネルの検出座標を取得すると共に、前記表示パネルにスポット画像を走査させ、前記タッチパネルの前記所定位置を通過する前記スポット画像の光を前記導光ケーブルを介して検出したときの前記表示パネルにおける前記スポット画像の表示座標を取得することを特徴とする座標位置補正方法。
【発明の詳細な説明】
【技術分野】
【０００１】
本発明は、表示パネルの前面側に固定したタッチパネルを押圧して検出された検出座標と、表示パネルの表示座標との相関をとり、補正情報を得るタッチパネルの座標位置補正装置および座標位置補正方法に関する。
【背景技術】
【０００２】
表示パネルに操作キー等を表示し、表示パネルに貼り付けたタッチパネルの操作キー表示位置を押下することによって操作する操作装置では、タッチパネルの貼り付け位置にずれがある場合やタッチパネルデバイスの位置検出誤差が大きい場合には、表示パネルのいずれの操作キー等が操作されたか否かの認識精度が低くなってしまう。
これを回避するために、表示パネルに基準図形を表示し、タッチパネル面における基準図形に沿った入力動作に基づき入力情報の座標情報を取得し、基準図形の座標情報と入力情報の座標情報とのずれの程度を判定する検査方法が知られている（例えば、特許文献１、２参照）。
【先行技術文献】
【特許文献】
【０００３】
【特許文献１】特開２００４−１１０２０８号公報
【特許文献２】特開２００２−９１６８４号公報
【発明の概要】
【発明が解決しようとする課題】
【０００４】
しかしながら、従来の構成では、基準図形に沿った入力動作を必要とするため、その入力動作を行う者の熟練度に応じて入力情報の座標情報が変動してしまい、ずれの程度が変わってしまう。このため、入力動作に慣れた熟練工以外では精度良くずれを検出できず、また、人が入力動作を行うため、時間工数も要する問題があった。
【０００５】
そこで、本発明の目的は、上述した従来の技術が有する課題を解消し、熟練度を要する入力動作を必要とせずに、タッチパネルの検出座標とこの検出座標に対応する表示パネルの表示座標とを精度良く取得してタッチパネルの補正情報を得る座標位置補正装置および座標位置補正方法を提供することにある。
【課題を解決するための手段】
【０００６】
上記目的を達成するために、本発明は、表示パネルの前面側に固定したタッチパネルを押圧して検出された検出座標と、表示パネルの表示座標とを取得して互いの座標の相関をとり、補正値を算出するタッチパネルの座標位置補正装置において、導光ケーブルの一端を前記タッチパネルの所定位置に押し当てたときの前記タッチパネルの検出座標を取得するタッチパネル座標取得部と、前記導光ケーブルの一端を前記タッチパネルに押し当てた状態のときに前記表示パネルにスポット画像を走査させ、前記タッチパネルの前記所定位置を通過する前記スポット画像の光を前記導光ケーブルを介して検出したときの前記表示パネルにおける前記スポット画像の表示座標を取得する表示パネル座標取得部とを備えることを特徴とする。
この構成によれば、導光ケーブルの一端をタッチパネルの所定位置に押し当てたときのタッチパネルの検出座標を取得するタッチパネル座標取得部と、導光ケーブルの一端をタッチパネルに押し当てた状態のときに表示パネルにスポット画像を走査させ、タッチパネルの所定位置を通過するスポット画像の光を導光ケーブルを介して検出したときの表示パネルにおけるスポット画像の表示座標を取得する表示パネル座標取得部とを備えるので、熟練度を要する入力動作を必要とせずに、タッチパネルの検出座標とこの検出座標に対応する表示パネルの表示座標とを精度良く取得してタッチパネルの補正情報を得ることができる。また、入力動作を要しないため時間短縮も図ることができる。
【０００７】
上記構成において、前記導光ケーブルの一端を前記タッチパネルに押し当てた状態に保持した後に、前記タッチパネルの検出座標を取得すると共に、前記表示パネルの表示領域全体に前記スポット画像を走査させて前記表示パネルの表示座標を取得することを特徴とする。この構成によれば、導光ケーブルの一端をタッチパネルのいずれの位置に押し当てた場合でも、タッチパネルの検出座標に対応する表示パネルの表示座標を精度良く取得してタッチパネルの補正情報を得ることができる。
【０００８】
上記構成において、前記導光ケーブルの一端を前記タッチパネルの対角二点の各々に押し当てたときの前記タッチパネルの検出座標と、前記表示パネルにおける前記スポット画像の表示座標とを取得して、対角二点の前記検出座標と前記表示座標とに基づいてタッチパネル座標と表示パネル座標との相関を示す補正情報を取得し、この補正情報に基づいて、前記タッチパネルの検出座標を前記表示パネルの表示座標に対応する座標に修正するずれ修正部を有するようにしてもよい。この構成によれば、タッチパネルの対角二点でタッチパネル座標と表示パネル座標との相関を示す補正情報を取得し、この補正情報に基づいてタッチパネル座標を表示パネル座標に対応する座標に修正するので、タッチパネルの縦、横、斜め方向への貼りずれ等の一次関数的なずれを精度良く修正できる。
【０００９】
また、本発明は、表示パネルの前面側に固定したタッチパネルを押圧して検出された検出座標と、表示パネルの表示座標とを取得して互いの座標の相関をとり、補正値を算出するタッチパネルの座標位置補正方法において、前記導光ケーブルの一端を前記タッチパネルの所定位置に押し当てた状態に保持した後に、前記タッチパネルの検出座標を取得すると共に、前記表示パネルにスポット画像を走査させ、前記タッチパネルの前記所定位置を通過する前記スポット画像の光を前記導光ケーブルを介して検出したときの前記表示パネルにおける前記スポット画像の表示座標を取得することを特徴とする。
この構成によれば、導光ケーブルの一端をタッチパネルの所定位置に押し当てた状態に保持した後に、タッチパネルの検出座標を取得すると共に、表示パネルにスポット画像を走査させ、タッチパネルの所定位置を通過するスポット画像の光を導光ケーブルを介して検出したときの表示パネルにおけるスポット画像の表示座標を取得するので、熟練度を要する入力動作を必要とせずに、タッチパネルの検出座標とこの検出座標に対応する表示パネルの表示座標とを精度良く取得してタッチパネルの補正情報を得ることができる。また、入力動作を要しないため時間短縮も図ることができる。
【発明の効果】
【００１０】
本発明では、導光ケーブルの一端をタッチパネルの所定位置に押し当てた状態に保持した後に、タッチパネルの検出座標を取得すると共に、表示パネルにスポット画像を走査させ、タッチパネルの所定位置を通過するスポット画像の光を導光ケーブルを介して検出したときの表示パネルにおけるスポット画像の表示座標を取得するので、熟練度を要する入力動作を必要とせずに、タッチパネルの検出座標とこの検出座標に対応する表示パネルの表示座標とを精度良く取得してタッチパネルの補正情報を得ることができる。
【図面の簡単な説明】
【００１１】
【図１】本発明の実施形態に係る座標位置補正装置を周辺構成と共に示す図である。
【図２】（Ａ）は導光ケーブルをタッチパネルに押し当てる前の状態を示す図であり、（Ｂ）は導光ケーブルをタッチパネルに押し当てた状態を示す図である。
【図３】座標位置補正装置の動作を示すフローチャートである。
【図４】表示パネルの表示内容を模式的に示す図である。
【図５】（Ａ）（Ｂ）は導光ケーブルの変形例の説明に供する図である。
【発明を実施するための形態】
【００１２】
以下、図面を参照して本発明の一実施の形態について説明する。
図１は、本発明の実施形態に係るタッチパネルの座標位置補正装置を周辺構成と共に示す図である。
この座標位置補正装置１０は、液晶表示パネル１１（以下、表示パネル１１という）の前面側に光透過型のタッチパネル１２を備えたタッチパネル付き表示装置２０の検査や調整に使用される装置であり、例えば、工場出荷前の検査工程で使用される装置である。
【００１３】
検査・調整対象となるタッチパネル付き表示装置２０は、表示パネル１１に操作キー（操作用の図形だけでなく文字も含む）を表示し、この操作キーをタッチパネル１２を介してユーザーに視認させ、この操作キーの表示位置に対応するタッチパネル１２の領域が押下操作等されると、ユーザー指示として入力する機能を具備する装置である。より具体的には、タッチパネル付き表示装置２０は、タッチパネル１２が操作されると、タッチパネル１２の操作位置に対応する検出座標を取得し、この検出座標に基づいて表示パネル１１に表示したいずれの操作キーが操作されたか否かを判定することにより、ユーザー指示を特定し、このユーザー指示に対応する各種処理を実行する。
本実施形態では、このタッチパネル付き表示装置２０が、カーオーディオ装置やカーナビゲーション装置等の車載装置３０に一体に組み込まれることによって、車載装置３０としての各種情報を表示する表示部およびタッチパネル１２を介してユーザーの各種指示を入力する指示入力部として使用されるようになっている。
【００１４】
座標位置補正装置１０は、タッチパネル付き表示装置２０に接続されるメイン装置４０と、サブ装置である光検出装置５０とを備えて構成される。
メイン装置４０は、表示パネル１１の画面制御機能を実現する表示制御部４１と、タッチパネル１２の検出座標（タッチパネル１２の座標系で示される座標）を取得する機能を実現する位置検出部４２と、各種情報を記録する記憶部４３と、各部の制御や演算処理の実行主体として機能する情報処理部４４と、光検出装置５０との間で各種情報を入出力するためのインターフェース部（Ｉ／Ｆ部）４５とを備えて構成される。
情報処理部４４は、ＣＰＵ（Ｃｅｎｔｒａｌ  Ｐｒｏｃｅｓｓｉｎｇ  Ｕｎｉｔ）を備え、このＣＰＵが記憶部４３に記憶された制御プログラムを実行することにより、座標位置補正装置１０全体（メイン装置４０の各部および光検出装置５０）を制御するコンピューターとして機能する。
【００１５】
ここで、本実施形態では、タッチパネル付き表示装置２０を備える車載装置３０の一部がメイン装置４０として機能するようになっている。
すなわち、この車載装置３０は、表示パネル１１の表示を制御する表示制御部と、タッチパネル１２の操作位置を検出する位置検出部と、各種情報を記録する記憶部と、各部の制御や各種演算処理を行うためのＣＰＵ等を有する情報処理部とを備えており、この記憶部に座標位置補正装置１０の処理内容を記述した制御プログラムを記憶して情報処理部に実行させることによって、車載装置３０の各部を、メイン装置４０の表示制御部４１、位置検出部４２、記憶部４３、情報処理部４４として機能させるようにしている。なお、インターフェース部４５は、この種の車載装置３０が備える汎用のインターフェース部でもよいし、光検出装置５０専用のインターフェース部を設けるようにしてもよい。
【００１６】
光検出装置５０は、一端５５Ａがタッチパネル１２に向けられた導光ケーブル５５を通る光を検出する装置であり、導光ケーブル５５の他端５５Ｂが接続されるケーブル接続部５１と、このケーブル接続部５１を介して導光ケーブル５５からの光を受光する受光部５２と、この受光部５２の受光量を示す信号（以下、受光信号という）を上記インターフェース部４５を介してメイン装置４０に出力する信号出力部５３などを有しており、メイン装置４０の制御の下、受光信号を出力する。
導光ケーブル５５は、一端から入射した光だけを他端に向けて伝搬するケーブルであり、例えば、光ファイバーなどが適用される。
【００１７】
ところで、この種のタッチパネル付き表示装置２０は、表示パネル１１に操作キーを表示し、この操作キーの表示位置に対応するタッチパネル１２の領域が押下操作された場合に上記操作キーが操作されたものと判定するため、表示パネル１１に対するタッチパネル１２の貼り付け位置にずれがある場合や、タッチパネル１２を予め定めた位置に取り付けてもタッチパネルデバイス自体の位置検出誤差が大きい場合には、表示パネル１１のどの操作キーが操作されたか否かの認識精度が低くなってしまう。
これを回避するために、表示パネル１１に基準図形を表示し、検査者がタッチパネル１２における基準図形に沿った入力動作を行って、基準図形の表示座標とタッチパネル１２の検出座標とのずれを判定する方法を採用すると、検査者の熟練度に応じてずれ量が変わってしまい、熟練度が低い検査者の場合には精度良くずれ量を取得できない。
【００１８】
そこで、本実施形態では、導光ケーブル５５の一端５５Ａをタッチパネル１２の所定位置に押し当てた状態に保持し、この保持状態で、座標位置補正装置１０が、タッチパネル１２の検出座標Ｐｔを取得すると共に、表示パネル１１にスポット画像（検査用画像）Ｓを走査させて、このスポット画像Ｓの光が上記導光ケーブル５５および光検出装置５０を介して検出されたときのスポット画像Ｓの表示座標Ｐｄを取得する位置取得処理を実行するようにしている。
これによれば、導光ケーブル５５の一端５５Ａの位置に相当するタッチパネル１２の検出座標Ｐｔと、この検出座標Ｐｔに対応する表示パネル１１の表示座標Ｐｄとを取得できるので、熟練度を要する入力動作を必要とせずに、検出座標Ｐｔと表示座標Ｐｄとの間のずれ量に対応する相関情報を精度良く得ることができる。以下、導光ケーブル５５のセット方法および座標位置補正装置１０の具体的動作を詳述する。
【００１９】
図２（Ａ）（Ｂ）は導光ケーブル５５のセット方法を示す図である。導光ケーブル５５をセットする場合には、図２（Ａ）に示すように、導光ケーブル５５の一端５５Ａをタッチパネル１２の検出面に向けて移動させ、図２（Ｂ）に示すように、その端面をタッチパネル１２の検出面に押し付けた状態に保持する。
この導光ケーブル５５は、細径のものが好ましい、つまり、導光ケーブル５５が細径であれば、このケーブル５５をタッチパネル１２に押し付けた場合にタッチパネル１２で検出される検出座標が一点若しくは数点程度となり、導光ケーブル５５によるタッチパネル１２の押下位置を精度良く検出できるからである。また、本実施形態では、タッチパネル１２で検出される検出座標が複数点である場合には、その複数点からなるタッチパネル領域の中心座標を検出座標とみなすことによって、一点の検出座標を特定できるようにしている。
【００２０】
次に、座標位置補正装置１０の動作を説明する。図３は、座標位置補正装置１０の動作を示すフローチャートである。本実施形態では、この座標位置補正装置１０が、タッチパネル１２の対角線上の二点（例えば、タッチパネル１２の左上角部と右下角部の二点、或いは、右上角部と左下角部の二点）について、タッチパネル１２の検出座標Ｐｔと表示パネル１１の表示座標Ｐｄとを取得する位置取得処理を行うように構成されている。
なお、座標位置補正装置１０のメイン装置４０は、所定の操作が行われた場合に記憶部４３に記憶された所定の制御プログラムを実行し、これによって位置取得処理を実行するように構成されている。
図３に示すように、位置取得処理を開始すると、まず、メイン装置４０の情報処理部４４は、導光ケーブル５５がセットされるまで待機する（ステップＳ１）。つまり、図２（Ｂ）に示すように、導光ケーブル５５の一端５５Ａがタッチパネル１２の検出面に押し付けた状態に保持されるまで待機する。
【００２１】
この場合、導光ケーブル５５をセットする作業者は、導光ケーブル５５の一端５５Ａをタッチパネル１２の対角二点のいずれか一点に相当する位置に押し当てた状態にセットし、このセットが完了した後にメイン装置４０に対して所定操作を行う。なお、このセット作業には、導光ケーブル５５の他端５５Ｂを光検出装置５０に接続する作業や、光検出装置５０をセットする作業（メイン装置４０と接続する作業や、光検出装置５０の電源をオンにしておく作業など）も含まれる。
そして、メイン装置４０の情報処理部４４は、作業者から所定操作が行われると、次の処理（ステップＳ２の処理）を開始する。
【００２２】
このステップＳ２の処理では、情報処理部４４は、位置検出部４２を介してタッチパネル１２の検出座標Ｐｔを取得し、この検出座標Ｐｔを記憶部４３に記憶する。この場合、導光ケーブル５５の一端５５Ａがタッチパネル１２の検出座標の複数点分の大きさであれば、タッチパネル１２の検出座標が同時に複数点存在することになるが、かかる場合には、情報処理部４４が、これら複数点の座標の中心座標を特定する処理を行うことで、この中心座標に相当する単一の検出座標Ｐｔを記憶部４３に記憶する。
すなわち、情報処理部４４および位置検出部４２が、導光ケーブル５５の一端５５Ａをタッチパネル１２の所定位置に押し当てたときのタッチパネル１２の検出座標Ｐｔを取得するタッチパネル座標取得部として機能する。
【００２３】
次いで、情報処理部４４は、表示制御部４１により表示パネル１１の表示領域全体にスポット画像（表示座標取得用の画像）Ｓを走査させる表示処理を開始すると共に、このスポット画像Ｓの光を導光ケーブル５５を介して検出する光検出処理を行う（ステップＳ３）。
図４はこの場合の表示内容を模式的に示す図である。この図に示すように、表示パネル１１の表示領域全体は、低輝度の表示（本例では、輝度レベルが最低となる黒表示）とされ、スポット画像Ｓは高輝度かつ単一の点画像（本例では、輝度レベルが最高となる白の点画像）とされる。
また、このスポット画像Ｓは、図３中、矢印で示すように、表示パネル１１全体を走査するように移動表示される。なお、図３では、表示パネル１１の縦方向に並ぶ複数の走査線を順次走査する、いわゆるプログレッシブ走査と略同じ態様で走査することによって表示パネル１１全体を走査する場合を示しているが、これに限らず、他の走査方法を適用してもよい。
【００２４】
この走査の間、情報処理部４４は、光検出装置５０から入力する受光信号に基づいてスポット画像Ｓの光を検出したか否かを判定する（ステップＳ４）。
すなわち、本構成では、低輝度表示の背景画像中に高輝度かつ単一のスポット画像Ｓを走査するため、このスポット画像Ｓの光がタッチパネル１２を通って導光ケーブル５５の一端５５Ａに入った場合にだけ、光検出装置５０では高輝度の光が検出される。このため、情報処理部４４は、光検出装置５０からの受光信号が示す光量を監視することによってスポット画像Ｓの光を検出したか否かを容易かつ確実に判定できる。例えば、情報処理部４４は、受光信号が示す光量が予め定めた閾値を超えた場合、或いは、受光信号が示す光量のピークを検出することによって、スポット画像Ｓの光を検出したと判定する。
【００２５】
そして、情報処理部４４は、スポット画像Ｓの光を検出したと判定すると（ステップＳ４：ＹＥＳ）、上記表示処理および光検出処理を終了し、検出時点における表示パネル１１におけるスポット画像Ｓの表示座標Ｐｄを取得する処理を行い、この表示座標Ｐｄを記憶部４３に記憶する（ステップＳ５）。
この表示座標Ｐｄを取得する処理は、表示パネル１１の表示画像中にある所定の画像の表示座標を特定する公知の手法を適用すればよく、例えば、表示パネル１１に表示する画像フレームを格納する図示せぬ画像メモリーから、検出時点における画像フレームを取得し、この画像フレームに基づいてスポット画像Ｓの表示座標を特定する処理などを適用すればよい。
【００２６】
このようにして、導光ケーブル５５の一端５５Ａをタッチパネル１２の対角二点の一点に押し当てた位置に相当するタッチパネル１２の検出座標Ｐｔとスポット画像Ｓの表示座標Ｐｄとが取得される。
すなわち、情報処理部４４、表示制御部４１および光検出装置５０が、表示パネル１１にスポット画像を走査させ、タッチパネル１２の所定位置を通過するスポット画像Ｓの光を導光ケーブル５５を介して検出したときの表示パネル１１におけるスポット画像Ｓの表示座標Ｐｄを取得する表示パネル座標取得部として機能する。
【００２７】
続いて、情報処理部４４は、タッチパネル１２の検出座標Ｐｔを二点取得済みか否かを判定し（ステップＳ６）、二点取得済みでない場合（ステップＳ６：ＮＯ）、ステップＳ１の処理に移行する。
この場合、情報処理部４４は待機状態となり、導光ケーブル５５をセットする作業者は、導光ケーブル５５の一端５５Ａをタッチパネル１２の対角二点の残りの一点に相当する位置に押し当てた位置に変更し、この状態に保持し、この作業が完了した後に所定操作を行うことで、情報処理部４４に上記ステップＳ２〜ステップＳ５の処理を再び実行させる。
これによって、導光ケーブル５５の一端５５Ａをタッチパネル１２の対角二点の残りの一点に押し当てた位置に相当するタッチパネル１２の検出座標Ｐｔとスポット画像Ｓの表示座標Ｐｄとが取得される。
【００２８】
そして、ステップＳ６の判定で肯定結果が得られると、情報処理部４４は、記憶部４３に記憶されたタッチパネル１２の対角二点の各々の位置に相当するタッチパネル１２の検出座標Ｐｔとスポット画像Ｓの表示座標Ｐｄとを読み出し、これらに基づいて検出座標Ｐｔと表示座標Ｐｄとの間の相関を示す補正情報を算出する処理を行う（ステップＳ７）。
このステップＳ７では、情報処理部４４は、タッチパネル１２の検出座標Ｐｔを、表示パネル１１の表示座標Ｐｄに補正する補正式を算出する。この補正式は、タッチパネル座標Ｐｔのｘ座標、ｙ座標を（ｘ、ｙ）で表記し、表示パネル座標Ｐｄのｘ座標、ｙ座標を（Ｘ、Ｙ）で表記した場合、以下に示す式（１）で表記される。
（Ｘ、Ｙ）＝（Ａｘ＋Ｂ、Ｃｙ＋Ｄ）・・・式（１）
ここで、値Ａ、Ｂ、Ｃ、Ｄは係数である。
【００２９】
つまり、上述したように、本実施形態では、対角二点で、タッチパネル座標Ｐｔ（（ｘ１、ｙ１）、（ｘ２、ｙ２））と表示パネル座標Ｐｄ（（Ｘ１、Ｙ１）、（Ｘ２、Ｘ２））とを各々取得するので、上記式（１）に各値を代入した式（２）（３）が成立する。
（Ｘ１、Ｙ１）＝（Ａｘ１＋Ｂ、Ｃｙ１＋Ｄ）・・・式（２）
（Ｘ２、Ｙ２）＝（Ａｘ２＋Ｂ、Ｃｙ２＋Ｄ）・・・式（３）
このため、この式（２）（３）の関係を満たすように値Ａ、Ｂ、Ｃ、Ｄを所定の演算によって求めることによって、タッチパネル１２の検出座標Ｐｔを、表示パネル１１の表示座標Ｐｄに補正する補正式（式（１））を算出することができる。
【００３０】
また、情報処理部４４は、補正式の情報を記憶部４３に記憶することにより、これ以降、このタッチパネル付き表示装置２０では、タッチパネル１２の検出座標Ｐｔに基づいて表示パネル１１のどの操作キーが操作されたかを精度良く判定できるようにする。
すなわち、本実施形態では、タッチパネル１２の対角二点について、タッチパネル座標Ｐｔとこの座標Ｐｔに対応する表示パネル座標Ｐｄとを取得し、取得した座標Ｐｔ、Ｐｄに基づいて、タッチパネル座標Ｐｔと表示パネル座標Ｐｄとの関係式を算出するので、タッチパネル座標Ｐｔと表示パネル座標Ｐｄとの相関が一次関数的である場合に、この補正効果を全領域に及ぼすことが可能な補正情報を精度良く取得できる。このため、タッチパネル１２の縦、横、斜め方向への貼りずれ等の一次関数的なずれを精度良く補正可能な補正情報を得ることができる。
【００３１】
一般に、タッチパネル座標Ｐｔと表示パネル座標Ｐｄとの相関は一次関数的であるため、タッチパネル１２全域に渡ってタッチパネル座標Ｐｔを表示パネル座標Ｐｄに対応する座標に精度良く修正することが可能になり、タッチパネル１２の貼りずれ等に起因する押下位置と表示位置との認識ずれを回避できる。これによって、情報処理部４４は、取得したタッチパネル座標Ｐｔと表示パネル座標Ｐｄとに基づいて補正情報を取得する補正情報取得部として機能するだけでなく、その補正情報に基づいてタッチパネル１２の検出座標Ｐｄを表示パネル１１の表示座標Ｐｄに対応する座標に修正するずれ修正部としても機能する。以上が座標位置補正装置１０の動作である。
【００３２】
以上説明したように、本実施形態では、導光ケーブル５５の一端５５Ａをタッチパネル１２の所定位置に押し当てた状態に保持した後、タッチパネル１２の検出座標Ｐｔを取得すると共に、表示パネル１１にスポット画像を走査させ、タッチパネル１２の所定位置を通過するスポット画像Ｓの光を導光ケーブル５５を介して検出したときの表示パネル１１におけるスポット画像Ｓの表示座標Ｐｄを取得するので、熟練度を要する入力動作を必要とせずに、タッチパネル１２の検出座標Ｐｔとこの検出座標Ｐｔに対応する表示パネル１１の表示座標Ｐｄとを精度良く取得してタッチパネル１２の補正値を精度良く算出できる。このため、タッチパネル１２を介して表示パネル１１のどの位置が操作されたか否かの認識精度を高精度で均一化できると共に、入力動作を要しないため時間短縮も図ることができる。
【００３３】
また、本実施形態では、導光ケーブル５５の一端５５Ａをタッチパネル１２に押し当てた状態に保持した後に、タッチパネル１２の検出座標Ｐｔを取得すると共に、表示パネル１１の表示領域全体にスポット画像Ｓを走査させて検出座標Ｐｔに対応する表示パネル１１の表示座標Ｐｄを取得するので、導光ケーブル５５の一端５５Ａをタッチパネル１２のいずれの位置に押し当てた場合でも、タッチパネル１２の検出座標Ｐｔに対応する表示パネル１１の表示座標Ｐｄを精度良く取得することができる。
しかも、取得した座標Ｐｔ、Ｐｄの相関に基づいて補正情報を求めるので、人が計算をする必要がなく、自動的に補正情報を得ることができる。また、本構成では、この補正情報を座標位置補正装置１０の記憶部４３に記憶するので、この補正情報を利用すれば、タッチパネル１２の検出座標Ｐｔから表示パネル１１のどの操作キーが操作されたか否かの認識精度を向上することができる。
【００３４】
上述した実施形態は、あくまで本発明の一態様に過ぎず、本発明の範囲内で任意に変形が可能である。
例えば、上述の実施形態では、タッチパネル１２の対角線上の二点について、タッチパネル座標Ｐｔとこの座標Ｐｔに対応する表示パネル座標Ｐｄとを取得する場合について説明したが、これに限らず、他の二点或いは二点以上でタッチパネル座標Ｐｔとこの座標Ｐｔに対応する表示パネル座標Ｐｄとを取得するようにしてもよい。本発明は、熟練度を要する入力動作を必要とせずに、座標Ｐｔ、Ｐｄを取得できるので、簡易かつ精度良く、多数の座標Ｐｔ、Ｐｄを取得できる。
例えば、タッチパネル１２の周縁部では、タッチパネル座標Ｐｔと表示パネル座標Ｐｄとの相関が一次関数的でない場合には、タッチパネル１２の周縁部については多くの座標位置でタッチパネル座標Ｐｔとこの座標Ｐｔに対応する表示パネル座標Ｐｄとを取得し、タッチパネル座標Ｐｔと表示パネル座標Ｐｄとの相関に基づいて、タッチパネル周縁部に適用される補正情報を取得するようにしてもよい。これによれば、タッチパネル周縁部での認識精度を向上することができる。
【００３５】
また、上述の実施形態では、導光ケーブル５５の一端５５Ａをタッチパネル１２の所定位置に押し当てた状態で、タッチパネルの検出座標と、この検出座標に対応する表示パネルの表示座標とを取得する方法を説明したが、これに限らない。例えば、導光ケーブル５５の一端５５Ａをタッチパネル１２に近接した状態にセットし、この状態で、導光ケーブル５５を介してスポット画像Ｓの光を検出したときの表示パネル１１におけるスポット画像Ｓの表示座標Ｐｄを取得し、その後に導光ケーブル５５の一端５５Ａをタッチパネル１２に押し当ててタッチパネル１２の検出座標Ｐｔを取得する方法も可能である。
【００３６】
また、上述の実施形態では、導光ケーブル５５が略同径で、かつ、その一端５５Ａの端面が単純な平面の場合を例示したが、これに限らない。例えば、図５（Ａ）に示すように、導光ケーブル５５の一端５５Ａを極細形状にしてもよいし、図５（Ｂ）に示すように、導光ケーブル５５の一端５５Ａの端面を湾曲させてもよい。極細形状や湾曲形状にすれば、表示パネル１１からの略一点の直光を抽出することができ、ケーブル外周部からの光を除外することができる。
また、上述の実施形態では、タッチパネル付き表示装置２０を備える車載装置３０の一部を、座標位置補正装置１０として機能させる場合について説明したが、これに限らず、車載装置とは独立した座標位置補正装置１０を構成するなど、座標位置補正装置１０の構成は適宜変更が可能である。また、タッチパネル付き表示装置２０の表示パネル１１は液晶表示パネルに限らず、他の表示パネルでもよく、また、タッチパネル付き表示装置２０は、車載装置３０に使用されるものに限らないことは言うまでもない。
【００３７】
また、上述の実施形態では、上記処理を行うための制御プログラムを予め座標位置補正装置１０に記録しておく場合について述べたが、この制御プログラムを、磁気記録媒体、光記録媒体、半導体記録媒体等のコンピューターが読み取り可能な記録媒体に格納し、コンピューターが記録媒体からこの制御プログラムを読み取って実行するようにしてもよい。また、この制御プログラムを通信ネットワーク（電気通信回線）を介して配信サーバー等からダウンロードできるようにしてもよい。
【符号の説明】
【００３８】
１０  座標位置補正装置
１１  表示パネル
１２  タッチパネル
２０  タッチパネル付き表示装置
３０  車載装置
４０  メイン装置
４１  表示制御部
４２  位置検出部
４３  記憶部
４４  情報処理部
４５  インターフェース部（Ｉ／Ｆ部）
５０  光検出装置
５５  導光ケーブル
【図１】
2010286901.tif 000003
【図２】
2010286901.tif 000004
【図３】
2010286901.tif 000005
【図４】
2010286901.tif 000006
【図５】
2010286901.tif 000007